(57)【要約】【課題】１度の撮影で解像度の異なる２つのＲＡＷ画像データを含む画像ファイルを生成することが出来る撮像装置を提供し、さらに、目的に合わせて得られたＲＡＷ画像データを効率よく画像処理することが可能となる画像処理装置を提供する。【解決手段】１度の撮影で解像度の異なる２つのＲＡＷ画像データを含む画像ファイルを、ユーザが入力したサイズ決定情報と共に画像ファイルとして生成する。画像処理においては、サイズ決定情報にしたがって、解像度の異なる２つのＲＡＷ画像データのいずれかを処理する。ユーザは、必要に応じてサイズ決定情報を変更することが可能に構成される。【選択図】図２
2008301285.tif 000002
【特許請求の範囲】
【請求項１】
サイズ決定情報を入力する操作手段と、
１度の撮影で解像度の異なる２つのＲＡＷ画像データを生成する撮像手段と、
前記解像度の異なる２つのＲＡＷ画像データ及びタグ情報として前記サイズ決定情報を含む画像ファイルを記録媒体に記録する記録手段と、を備えることを特徴とする撮像装置。
【請求項２】
解像度の異なる２つのＲＡＷ画像データ及びタグ情報としてサイズ決定情報を含む画像ファイルから、前記サイズ決定情報を取得するタグ情報解析手段と、
前記取得したサイズ決定情報に従って、前記解像度の異なる２つのＲＡＷ画像データのいずれか一方のＲＡＷ画像データの画像処理を実行する画像処理手段と、を備えることを特徴とする画像処理装置。
【請求項３】
解像度の異なる２つのＲＡＷ画像データ及びタグ情報としてサイズ決定情報を含む画像ファイルから、前記サイズ決定情報を取得するタグ情報解析手段と、
前記取得したサイズ決定情報に従って、前記解像度の異なる２つのＲＡＷ画像データのいずれか１つのＲＡＷ画像データを含む画像ファイルを生成する画像ファイル生成手段と、を備えることを特徴とする画像処理装置。
【請求項４】
前記取得したサイズ決定情報を変更する操作手段と、をさらに備えることを特徴とする請求項２または３に記載の画像処理装置。
【請求項５】
解像度の閾値を記憶するメモリ手段と、
画像ファイルに含まれるＲＡＷ画像データの解像度と前記解像度の閾値とを比較する解像度比較手段と、
前記比較の結果に従ったサイズ決定情報をタグ情報として前記画像ファイルに付加して新たな画像ファイルを生成する画像ファイル生成手段と、を備えることを特徴とする画像処理装置。
【請求項６】
解像度の異なる２つのＲＡＷ画像データ及びタグ情報としてサイズ決定情報を含む画像ファイルから、前記サイズ決定情報を取得するタグ情報解析工程と、
前記取得したサイズ決定情報に従って前記解像度の異なる２つのＲＡＷ画像データのいずれか一方のＲＡＷ画像データの画像処理を実行する画像処理工程と、を備えることを特徴とする画像処理装置の制御方法。
【請求項７】
解像度の異なる２つのＲＡＷ画像データ及びタグ情報としてサイズ決定情報を含む画像ファイルから、前記サイズ決定情報を取得するタグ情報解析工程と、
前記取得したサイズ決定情報に従って、前記解像度の異なる２つのＲＡＷ画像データのいずれか１つのＲＡＷ画像データを含む画像ファイルを生成する画像ファイル生成工程と、を備えることを特徴とする画像処理装置の制御方法。
【請求項８】
メモリ手段に解像度の閾値を記憶する工程と、
画像ファイルに含まれるＲＡＷ画像データの解像度と前記解像度の閾値とを比較する解像度比較工程と、
前記比較の結果に基づくサイズ決定情報をタグ情報として前記画像ファイルに付加して新たな画像ファイルを生成する画像ファイル生成工程と、を備えることを特徴とする画像処理装置の制御方法。
【請求項９】
請求項６乃至８のいずれか１項に記載の画像処理装置の制御方法の各工程をコンピュータに実行させるためのプログラム。
【請求項１０】
請求項６乃至８のいずれか１項に記載の画像処理装置の制御方法の各工程をコンピュータに実行させるためのプログラムを記憶したコンピュータで読み取り可能な記憶媒体。
【発明の詳細な説明】
【技術分野】
【０００１】
本発明は、ＲＡＷ画像データを撮影する撮像装置、撮影したＲＡＷ画像データを効率的に画像処理することが可能な画像処理装置、画像処理装置の制御方法、プログラム、及び記憶媒体に関する。
【背景技術】
【０００２】
近年、情報の電子化が進み、様々な分野でデジタル製品が普及している。一眼レフカメラにおいてもデジタル化が進み、カメラ単体での使用だけでなく、外部装置との組み合わせて使用することで、より便利になっている。例えば、高精細な映像を出力する大型ディスプレイや大判プリンタへの出力など、より解像度の高い画像への需要が増え、デジタル一眼レフカメラに対しても高い解像度が要求されるようになっている。
【０００３】
さらに、デジタル一眼レフカメラの急速な発展に伴い、ユーザ層やカメラの用途も幅広くなっている。一般的なスナップ撮影だけでなく、商用撮影や作品作りに用いられるようになっている。これらの用途では、後工程において劣化なく画像調整が可能なＲＡＷ画像データを用いることが効果的である。
【０００４】
しかし、まだ画像処理の難しさから、ＲＡＷ画像データが利用されることが少ないのが現状である。これはＲＡＷ画像データが、撮像素子であるＣＣＤからの画像データを圧縮せずにそのまま記録したものであり、データサイズが膨大になる。そのため、アプリケーションソフトウェア上での画像調整において、処理時間が長くなる、或いはリサイズする必要があり、リサイズによる画像の劣化が避けられないためである。
【０００５】
上記課題を解決すべく、従来より様々な方法が提案されている。従来技術として、ＲＡＷ画像データから間引き処理により解像度の小さいＲＡＷ画像データを生成し、現像処理するものが、例えば特許文献１で提案されている。この場合、ＲＡＷ画像データの現像処理時に、表示解像度あるいは印刷サイズより、適切な画像解像度を算出し、元のＲＡＷ画像データから補間処理を行い、解像度の小さいＲＡＷ画像データを作成している。補間処理では、近傍の４つの画素値に基づき、１画素について３チャンネルの画素値を設定するため、偽色発生を低減ができる。
【０００６】
また、撮影時にＲＡＷ画像データのサイズを、用途によって指定できる技術は、例えば特許文献２で既知である。この場合、小さいＲＡＷ画像データを用いることで、画像調整の処理時間を短縮している。
【特許文献１】特開２００６−２２７６９８号公報
【特許文献２】特開２００４−２６０８１３号公報
【発明の開示】
【発明が解決しようとする課題】
【０００７】
上記で説明した従来技術のうち、特許文献１に開示された発明では、ＲＡＷ画像データのリサイズ時に、補間処理方法の改善により偽色発生が低減できているが、画像データの劣化は避けられない。また、特許文献２に開示された発明では、撮影時にＲＡＷ画像データのサイズを定める必要があるため、アプリケーションソフトウェア上での後処理において、自由度が少なくなってしまう。
【０００８】
したがって本発明の目的は、１度の撮影で解像度の異なる２つのＲＡＷ画像データを含む画像ファイルを生成することが出来る撮像装置を提供することにある。さらに、得られたＲＡＷ画像データを目的に合わせて効率よく画像処理することが可能となる画像処理装置を提供することにある。
【課題を解決するための手段】
【０００９】
上記の目的を達成するため、本発明の実施形態に係る撮像装置は、
サイズ決定情報を入力する操作手段と、
１度の撮影で解像度の異なる２つのＲＡＷ画像データを生成する撮像手段と、
前記解像度の異なる２つのＲＡＷ画像データ及びタグ情報として前記サイズ決定情報を含む画像ファイルを記録媒体に記録する記録手段と、を備えることを特徴とする。
【００１０】
上記の目的を達成するため、本発明の他の実施形態に係る画像処理装置は、
解像度の異なる２つのＲＡＷ画像データ及びタグ情報としてサイズ決定情報を含む画像ファイルから、前記サイズ決定情報を取得するタグ情報解析手段と、
前記取得したサイズ決定情報に従って前記解像度の異なる２つのＲＡＷ画像データのいずれか一方のＲＡＷ画像データの画像処理を実行する画像処理手段と、を備えることを特徴とする。
【００１１】
上記の目的を達成するため、本発明のさらに他の実施形態に係る画像処理装置は、
解像度の異なる２つのＲＡＷ画像データ及びタグ情報としてサイズ決定情報を含む画像ファイルから、前記サイズ決定情報を取得するタグ情報解析手段と、
前記取得したサイズ決定情報に従って、前記解像度の異なる２つのＲＡＷ画像データのいずれか１つのＲＡＷ画像データを含む画像ファイルを生成する画像ファイル生成手段と、を備えることを特徴とする。
【００１２】
上記の目的を達成するため、本発明のさらに他の実施形態に係る画像処理装置は、
解像度の閾値を記憶するメモリ手段と、
画像ファイルに含まれるＲＡＷ画像データの解像度と前記解像度の閾値とを比較する解像度比較手段と、
前記比較の結果に従ったサイズ決定情報をタグ情報として前記画像ファイルに付加して新たな画像ファイルを生成する画像ファイル生成手段と、を備えることを特徴とする。
【００１３】
上記の目的を達成するため、本発明のさらに他の実施形態に係る画像処理装置の制御方法は、
解像度の異なる２つのＲＡＷ画像データ及びタグ情報としてサイズ決定情報を含む画像ファイルから、前記サイズ決定情報を取得するタグ情報解析工程と、
前記取得したサイズ決定情報に従って前記解像度の異なる２つのＲＡＷ画像データのいずれか一方のＲＡＷ画像データの画像処理を実行する画像処理工程と、を備えることを特徴とする。
【００１４】
上記の目的を達成するため、本発明のさらに他の実施形態に係る画像処理装置の制御方法は、
解像度の異なる２つのＲＡＷ画像データ及びタグ情報としてサイズ決定情報を含む画像ファイルから、前記サイズ決定情報を取得するタグ情報解析工程と、
前記取得したサイズ決定情報に従って、前記解像度の異なる２つのＲＡＷ画像データのいずれか１つのＲＡＷ画像データを含む画像ファイルを生成する画像ファイル生成工程と、を備えることを特徴とする。
【００１５】
上記の目的を達成するため、本発明のさらに他の実施形態に係る画像処理装置の制御方法は、
メモリ手段に解像度の閾値を記憶する工程と、
画像ファイルに含まれるＲＡＷ画像データの解像度と前記解像度の閾値とを比較する解像度比較工程と、
前記比較の結果に基づくサイズ決定情報をタグ情報として前記画像ファイルに付加して新たな画像ファイルを生成する画像ファイル生成工程と、を備えることを特徴とする。
【発明の効果】
【００１６】
本発明によれば、１度の撮影で解像度の異なる２つのＲＡＷ画像データを含む画像ファイルを生成することが出来、さらに、目的に合わせてＲＡＷ画像データを効率よく画像処理することが可能となる。
【発明を実施するための最良の形態】
【００１７】
以下、図面を参照して本発明の実施形態を説明する。
【００１８】
＜実施形態１＞
図１は、本発明に実施形態に係るＲＡＷ画像データを撮影により生成することが可能な撮像装置１００の主要な構成を示す図である。図１において撮像部１１０は、ＣＣＤ等のイメージセンサを用いて被写体を撮像し、画像データを生成するユニットである。撮像制御部１１１は、システム制御部１２０からの指示によって撮像部１１０の動作を制御するユニットである。
【００１９】
撮像制御部１１１は、撮像部１１０で生成された画像データの情報をシステム制御部１２０に渡す。画像処理部１１２はシステム制御部１２０が記憶し、保持する画像データを用いて所定の演算処理を行い、撮像部１１０から提供される撮影情報により画像データを調整し、調整後の画像データを所定の画像圧縮方式に従って圧縮するユニットである。
【００２０】
システム制御部１２０は撮像装置１００の全体を制御するユニットであり、メモリ１２１は、システム制御部１２０の動作用の定数、変数、プログラム等を記憶するメモリである。１３０、１３１、１３２、及び１３３は、システム制御部１２０の各種の動作指示を入力するための操作手段であり、スイッチやダイアル、タッチパネル、視線検知によるポインティング、音声認識装置等の単数或いは複数の組み合わせで構成される。
【００２１】
１３０はモードダイアルで、電源オフ、自動撮影モード、撮影モード、パノラマ撮影モード、再生モード、マルチ画面再生・消去モード、ＰＣ接続モード等の各機能モードを切り替えて設定することが出来る。
【００２２】
１３１はシャッタースイッチで、シャッタースイッチ１３１の半押し状態ではＳＷ１を出力し、ＡＦ（オートフォーカス）処理、ＡＥ（自動露出）処理、ＡＷＢ（オートホワイトバランス）処理、ＥＦ（フラッシュプリ発光）処理等の動作の開始を指示する。また、スイッチの全押し状態ではＳＷ２を出力し、撮像部１１０が生成した画像データを画像メモリ１４０へ書き込む露光処理、画像処理部１１２での演算を用いた現像処理を行う。
【００２３】
さらに画像メモリ１４０から画像データを読み出し、リムーバブル記録媒体１６１に画像データを書き込むという一連の処理の動作の開始を指示する。
【００２４】
１３２は画像表示ＯＮ／ＯＦＦスイッチで、表示部１５０のＯＮ／ＯＦＦを設定することが出来る。
【００２５】
操作部１３３は、各種ボタンやタッチパネル等からなるユニットで、メニューボタン、セットボタン、マクロボタン、マルチ画面再生改ページボタン、フラッシュ設定ボタン、単写/連写/セルフタイマー切り替えボタンを備える。さらにメニュー移動＋（プラス）ボタン、メニュー移動−（マイナス）ボタン、再生画像移動＋（プラス）ボタン、再生画像−（マイナス）ボタンを備える。さらに、撮影画質選択ボタン、露出補正ボタン、日付/時間設定ボタン、ＲＡＷ撮影モードボタン、サイズ決定情報ボタン等も備える。以下の説明は、ＲＡＷ撮影モードでの動作を説明する。
【００２６】
ここで、サイズ決定情報ボタンとは、撮影後に現像処理を行う際、解像度の低いＲＡＷ画像データ（スモールＲＡＷ画像データ）を優先的に使用するか、解像度の高いＲＡＷ画像データ（ラージＲＡＷ画像データ）を優先的に使用するかを選択するボタンである。選択された情報はサイズ決定情報としてリムーバブル記録媒体１６１に記録／再生部１６０で記録される画像ファイルのタグ情報として記録される。ここで、現像処理とは、データ形式をＪＰＥＧやＴＩＦＦ等に変換する処理を意味する。
【００２７】
すなわち、撮像装置１００は、ＲＡＷ撮影モードで撮影することにより、１度の撮影で解像度の異なる２つのＲＡＷ画像データを得、図３に示す画像ファイルを生成し、リムーバブル記録媒体１６１に記録／再生部１６０で記録する。記録／再生部１６０は、記録部と再生部の機能を備える。
【００２８】
すなわち、図３は、図１に示す撮像装置１００のリムーバブル記録媒体１６１に記録されて格納される画像ファイル３００のフォーマットの一例を示す図である。画像ファイル３００は、１度の撮影で得られる解像度の異なる２つのＲＡＷ画像データ、すなわちデータ量の小さいスモールＲＡＷ（ＳＬＡＷ）画像データ３１２とデータ量の大きいラージＲＡＷ（ＬＲＡＷ）画像データ３１３を備えている。
【００２９】
この場合、スモールＲＡＷ（ＳＬＡＷ）画像データ３１２はＹＵＶ形式のデータであり、ラージＲＡＷ（ＬＲＡＷ）画像データ３１３はＲＧＢ形式のデータであり、単純に、間引き処理等のデータ変換ではデータ変換は出来ない。基本的には、スモールＲＡＷ（ＳＬＡＷ）画像データ３１２及びラージＲＡＷ（ＬＲＡＷ）画像データ３１３は撮影時に作成される。
【００３０】
そして、そのＲＡＷ画像データ３１２、３１３の各種付帯情報を記述するタグ領域３１０を付加したフォーマットで記録されることになる。タグ領域３１０には、その画像ファイル３００のフォーマット種別の他、サムネイルや、撮影日や機種名などの撮影情報とともに、サイズ決定情報３１１を記述する領域がある。サイズ決定情報３１１は、先に説明したように、撮影時に、ユーザがサイズ決定情報ボタンを操作した結果、書込まれる情報である。
【００３１】
図１に戻り、説明を続けると、画像メモリ１４０は撮影した静止画像データや動画像データを格納するためのメモリであり、所定枚数の静止画像データや所定時間の動画像データを格納するのに十分な記憶量を備えている。また、画像メモリ１４０はシステム制御部１２０の作業領域としても使用することが可能である。
【００３２】
１５０はＴＦＴ−ＬＣＤ等から成り、画像メモリ１４０に書き込まれた表示用の画像データを表示する表示部である。さらに、表示部１５０を用いて撮像した画像データを逐次表示すれば、電子ファインダー機能を実現することが可能である。表示部１５０は、撮像装置の各種設定の表示を行い、操作部１３３により各種設定を変更することが可能である。また、表示部１５０は、システム制御部１２０の指示により任意に表示をＯＮ／ＯＦＦすることが可能である。
【００３３】
１６０はシステム制御部１２０が指定した画像データをリムーバブル記録媒体１６１に書き込む、あるいはシステム制御部１２０が指定した画像データをリムーバブル記録媒体１６１から読み出す記録／再生部である。リムーバブル記録媒体１６１は半導体メモリカードやハードディスク等の記録媒体である。
【００３４】
上記で説明したように、本発明の実施形態１に係る撮像装置によれば、同じ被写体に対して、解像度の異なる２つのＲＡＷ画像データ、すなわちスモールＲＡＷ画像データ３１２とラージＲＡＷ画像データ３１３を含む画像ファイルを得ることができる。さらにその場合、サイズ決定情報ボタンの操作により、後段の現像時で行われる処理をに対するＲＡＷ画像データの指定を画像ファイルにサイズ決定情報として書込むことが可能となる。このサイズ決定情報は、基本的に現像処理時に、解像度の異なる２つのＲＡＷ画像データ３１２、３１３のどちらを優先的に現像処理するかを意味する情報である。
【００３５】
＜実施形態２＞
図２は、実施形態１の係る撮像装置１００で得られた画像ファイル３００を処理するのに好適な、本発明の実施形態２に係る画像処理装置２００の主要な構成を示す図である。図２において、制御部２１０は、画像処理装置２００の全体を制御するユニットである。尚、画像ファイルメモリ２２０には、撮像装置１００のリムーバブル記録媒体１６１に記録／再生部１６０で記録された画像ファイル３００が格納される。
【００３６】
２３０は、制御部２１０が画像ファイルメモリ２２０から読み込んだ画像ファイル３００を一時的に記憶するためのメモリである。また、メモリ２３０は制御部２１０の作業領域としても使用することが可能である。
【００３７】
画像表示部２４０は、制御部２１０によりメモリ２３０に格納されている撮影された画像ファイル３００の画像データを表示するユニットである。操作部２５０からの調整パラメータの入力により、制御部２１０は、画像処理部２６０に調整パラメータを適用した画像処理を指示する。
【００３８】
画像処理部２６０での画像処理の結果は、画像表示部２４０に表示される。好ましくは、画像調整処理の前後の画像データを画像表示部２４０に表示すれば調整がやりやすい。また画像調整後の画像ファイルは、画像処理の結果の画像ファイルを圧縮し、画像ファイルメモリ２２０に、出力することができる。ここで、画像調整とは、画像データへの現像パラメータの変更及び適用を意味する。
【００３９】
タグ情報解析部２７０は、制御部２１０の指示により、画像ファイル３００から該当するタグを検索し、タグに付加されているデータを解析するユニットである。また２８０は、実施形態２、３で使用される解像度比較部である。さらに２９０は、新たな画像ファイルを編集することで生成する画像ファイル生成部である。
【００４０】
図４（ａ）、図４（ｂ）は、画像処理装置２００で画像ファイル３００を変換した結果で得られる画像フォーマットの例を示す図である。画像ファイル４００は、画像ファイル３００を変換し、前述の画像ファイル３００と基本的に同じ構造であり、スモールＲＡＷ画像データ４１２とサイズ決定情報４１１を含むタグ領域４１０からなる。
【００４１】
また画像ファイル５００も、前述の画像ファイル３００と基本的に同じ構造であり、ラージＲＡＷ画像データ５１２とサイズ決定情報５１１を含むタグ領域５１０からなる。
【００４２】
図５は、画像処理装置２００において、撮像装置１００で撮影され、生成された画像ファイル３００の画像調整を実行する手順を記述したフローチャートである。
【００４３】
ユーザが操作部２５０より画像調整の処理の指示を行うと、ステップＳ１０１で、制御部２１０はタグ情報解析部２７０に指示する。そしてタグ情報解析部２７０は、メモリ２３０に記憶された画像ファイル３００から、サイズ決定情報３１１に関するタグ情報を取得する。なお、この画像ファイル３００は、撮像装置１００で撮影され、生成された画像ファイル３００であって、前もってメモリ２３０に取り込んだ画像ファイルである。次にステップＳ１０２に進み、制御部２１０は、この画像ファイル３００のサイズ決定情報３１１がスモールＲＡＷ画像データであるかを判定する。
【００４４】
そして、スモールＲＡＷ画像データを示す情報であれば、ステップＳ１０３に進み、スモールＲＡＷ画像データ３１２を用いて画像調整を行う。またラージＲＡＷ画像データを示す情報であれば、ステップＳ１０４に進み、ラージＲＡＷ画像データ３１３を用いて画像調整を行う。そして画像調整の処理を終了するが、上記のサイズ決定情報３１１は、画像調整の処理の開始前に画像処理装置２００にて、書き換えることで変更が可能である。
【００４５】
この場合、ステップ１０３では、画像ファイル生成部２９０で画像ファイル４００が生成されて画像ファイルメモリ２２０に格納され、ステップ１０４では、画像ファイル５００が生成されて画像ファイルメモリ２２０に格納されることとなる。
【００４６】
この場合、画像ファイル３００の形式は崩さずに、指定されたＲＡＷ画像データのみが画像調整された画像ファイル３００としてもよい。
【００４７】
図６は、画像処理装置２００において撮像装置１００より生成された画像ファイル３００を現像処理し、その結果を画像ファイルメモリ２２０へ保存あるいは印刷する手順を記述したフローチャートである。
【００４８】
先ずステップＳ２００でユーザが操作部２５０よりＪＰＥＧ形式やＴＩＦＦ形式での画像ファイルの保存の指示を行う、あるいは印刷実行の指示を行うと、制御部２１０はタグ情報解析部２７０に指示を出す。すると、ステップＳ２０１に進み、画像ファイル３００のサイズ決定情報３１１に関するタグ情報３１０を取得する。
【００４９】
その後ステップＳ２０２に進み、制御部２１０はサイズ決定情報３１１ がスモールＲＡＷ画像データであるかを判定する。そしてスモールＲＡＷ画像データを示す情報であれば、ステップＳ２０３に進み、スモールＲＡＷ画像データ３１２を用いて現像処理を行う。またラージＲＡＷ画像データを示す情報であれば、ステップＳ２０４に進み、ラージＲＡＷ画像データ３１３を用いて現像処理を行う。その現像処理の結果得られたＪＰＥＧ形式やＴＩＦＦ形式での画像ファイルは、画像ファイルメモリ２２０に出力するか、或いは印刷データとして出力し、現像処理を終了する。
【００５０】
本実施形態２によれば、ＲＡＷ画像データを、ＲＡＷ画像ファイルに含まれるサイズ決定情報にしたがって、適切な現像処理を実行することが可能となる。
【００５１】
図７は、画像処理装置２００において撮像装置１００より生成された画像ファイル３００を、１つの解像度のＲＡＷ画像データのみを含む画像ファイル４００、または画像ファイル５００のいずれか一方に変換して保存する手順を記述したフローチャートである。
【００５２】
先ずステップＳ３００で、ユーザが操作部２５０より「保存用のＲＡＷ画像への変換」の指示を行うと、ステップＳ３０１に進んで、制御部２１０はタグ情報解析部２７０に指示を出す。そして、画像ファイル３００のサイズ決定情報３１１に関するタグ情報３１０を取得する。
【００５３】
次に、ステップＳ３０２に進み、制御部２１０はサイズ決定情報３１１ がスモールＲＡＷ画像データであるかを判定する。もしスモールＲＡＷ画像データを示す情報であれば、ステップＳ３０３に進み、画像ファイル４００を生成し、ラージＲＡＷ画像データを示す情報であれば、ステップＳ３０４に進み、画像ファイル５００を生成する。生成された画像ファイル４００、５００は画像ファイルメモリ２２０に格納される。先にのべたように、画像ファイル４００、５００の生成は、画像ファイル生成部２９０で実行される。
【００５４】
図８（ａ）、図８（ｂ）は、画像表示部２４０に表示される操作部２５０の一例を示す図である。
【００５５】
操作部２５０は「スモールＲＡＷ画像データのファイルに変換」、又は「ラージＲＡＷ画像データのファイルに変換」して保存するかを選択させる手段を持つ。（図８（ａ）、（ｂ））、そしてユーザが「スモールＲＡＷ画像データのファイルに変換」を選択する（図８（ａ））と画像ファイル４００を生成し、「ラージＲＡＷ画像データのファイルに変換」を選択する（図８（ｂ））と画像ファイル５００を生成する。
【００５６】
本実施形態２によれば、画像ファイルに含まれるタグ情報であるサイズ決定情報にしたがって、画像調整、現像処理、ファイル変換を自動的に実行することが可能となる。
【００５７】
＜実施形態３＞
実施形態１に係る画像処理装置２００において、画像ファイルのタグ情報であるサイズ決定情報３１１を参照せずに画像処理を実施する、本発明の実施形態３に係る画像処理装置２００の動作を以下に説明する。
【００５８】
図９は、画像処理装置２００において撮像装置１００より生成された画像ファイル３００を画像処理する際に、サイズ決定情報のタグ情報を参照しないで画像処理を実行する手順を記述したフローチャートである。
【００５９】
ステップＳ４００で、ユーザが操作部２５０より画像処理の指示を行うと、制御部２１０はタグ情報解析部２７０に指示し、サイズ決定情報に関するタグ情報を取得しようとする。しかしサイズ決定情報が記録されていない場合には、制御部２１０は、撮像装置１００の機種判定を画像ファイルのタグ情報を参照して実行し、制御部２１０内に保存している機種毎のサンプルデータより閾値を計算する。そしてこの閾値をメモリ１２１に記録しておく。
【００６０】
次にステップＳ４０１に進み、求めた閾値と画像表示部２４０に表示されているＲＡＷ画像データの解像度を求め、解像度比較部２８０で比較する。この比較の結果に基づき、求めた解像度が求めた閾値以下、すなわち求めた解像度が計算で求めた閾値より小さい場合にはステップＳ４０２に進み、スモールＲＡＷ画像データとして画像調整を行う。そして、求めた解像度が求めた閾値以上ならば、ステップＳ４０３に進み、ラージＲＡＷ画像データとして画像調整を行う。その後、画像調整の際に用いられたＲＡＷ画像データのサイズをサイズ決定情報として、画像ファイルのタグ情報であるサイズ決定情報を上書きする。そしていずれか一方の画像ファイル４００、または画像ファイル５００として画像ファイル生成部２９０で生成し、画像ファイルメモリ２２０に記録する。
【００６１】
本発明の実施形態３によれば、画像ファイルのサイズ決定情報を参照することなく、サイズ決定情報を決定し、画像調整を行い、画像ファイル４００又は画像ファイル５００を生成することが可能となる。
【００６２】
＜実施形態４＞
実施形態１に係る画像処理装置２００において、画像ファイルのタグ情報であるサイズ決定情報３１１を参照せずに画像処理を実施する、本発明の実施形態４に係る画像処理装置の動作を以下に説明する。
【００６３】
図１０は画像処理装置２００に含まれる画像表示部２４０の表示画面である。まず、表示画面のＲＡＷ画像データの解像度とスモールＲＡＷ画像データとしての解像度（閾値に相当）を解像度比較部２８０で比較する。表示画面のＲＡＷ画像データの解像度がスモールＲＡＷ画像データ（閾値に相当）としての解像度より高いのであれば、ラージＲＡＷ画像データを画像表示部２４０に表示させて画像調整に用いる。そしてラージＲＡＷ画像データを用いていることをサイズ決定情報として、画像表示部２４０上に表示する（図１０（ａ））。
【００６４】
解像度比較部２８０での比較で、表示画面の解像度がスモールＲＡＷ画像データとしての解像度より低いのであれば、スモールＲＡＷ画像データを画像表示部２４０に表示させて画像調整に用る。そしてスモールＲＡＷ画像データを用いていることをサイズ決定情報として、画像表示部２４０上に表示する（図１０（ｂ））。
【００６５】
ユーザからの指示で、表示画面の解像度に変更があった場合は、再び表示画面のＲＡＷ画像データの解像度とスモールＲＡＷ画像データの解像度を解像度比較部２８０で比較し、該当するＲＡＷ画像データで画像表示部２４０を更新する。さらに該当するＲＡＷ画像データに画像調整を適用させ、画像表示部２４０上のサイズ決定情報を更新する。上記のサイズ決定情報３１１は画像処理装置２００にて、変更可能である。
【００６６】
解像度の異なるＲＡＷ画像データと共に、撮像時のサイズ決定情報あるいは、画像処理時のサイズ決定情報を画像ファイルに記録する。これにより、画像処理装置２００の後工程にて、いずれか一方の優先的に現像処理するＲＡＷ画像データ（ＬＲＡＷ優先又はＳＲＡＷ優先）を選択し、保存することが可能となる。
【００６７】
さらには、画像処理装置２００において、どの解像度のＲＡＷ画像データを画像ファイルメモリ２２０に格納するかを選択し、ＲＡＷ画像ファイルを再び保存することができる。これにより、画像処理装置２００上でのＲＡＷ現像処理の自由度が高くなり、効率的に現像処理ができる。
【００６８】
また、本発明は、前述した実施形態の機能を実現するソフトウェアのプログラムコードを記録した記憶媒体を、システムあるいは装置に供給することによっても実施可能である。すなわち本発明の目的は、そのシステムあるいは装置のコンピュータ（またはＣＰＵやＭＰＵ）が記憶媒体に格納されたプログラムコードを読出し実行することによっても達成される。この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えばフレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６９】
また、コンピュータが読出したプログラムコードを実行することで、前述した実施形態の機能が実現されるだけでなく、そのプログラムコードの指示に基づき、コンピュータ上で稼働しているＯＳなどが実際の処理の一部または全部を行いこともありうる。それにより、本発明は、その処理によって前述した実施形態の機能が実現される場合も含まれる。
【００７０】
さらに本発明においては、記憶媒体から読出されたプログラムコードが、コンピュータに挿入された機能拡張ボードやコンピュータに接続された機能拡張ユニットに備わるメモリに書込まれて実施することも可能である。したがって、書込まれプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００７１】
【図１】本発明の実施形態１に係る撮像装置の主要な構成を示す図である。
【図２】本発明の実施形態２に係る画像処理装置の主要な構成を示す図である。
【図３】本発明の実施形態１、２で使用されるＲＡＷ画像ファイルのフォーマットの１例を示す図である。
【図４】本発明の実施形態１、２で使用されるＲＡＷ画像ファイルのフォーマットの１例を示す図である。
【図５】本発明の実施形態２に係る画像処理装置の画像調整の動作を説明するフローチャートである。
【図６】本発明の実施形態２に係る画像処理装置の現像処理の動作を説明するフローチャートである。
【図７】本発明の実施形態２に係る画像処理装置の画像ファイルの生成の動作を説明するフローチャートである。
【図８】本発明の実施形態２に係る画像処理装置のＲＡＷ画像ファイルを選択する画面の１例を示す図である。
【図９】本発明の実施形態３に係る画像処理装置の画像ファイルのタグ情報を参照しない動作を説明するフローチャートである。
【図１０】本発明の実施形態に係る画像処理装置の表示画面の１例を示す図である。
【符号の説明】
【００７２】
１００  撮像装置
１１０  撮像部
１１１  撮像制御部
１１２  画像処理部
１２０  システム制御部
１２１  メモリ
１３０  モードダイアル
１３１  シャッタスイッチ
１３３  操作部
１４０  画像メモリ
１５０  表示部
１６０  記録／再生部
１６１  リムーバブル記録媒体
２００  画像処理装置
２１０  制御部
２２０  画像ファイルメモリ
２３０  メモリ
２４０  画像表示部
２５０  操作部
２６０  画像処理部
２７０  タグ情報解析部
２８０  解像度比較部
２９０  画像ファイル生成部
【図１】
2008301285.tif 000003
【図２】
2008301285.tif 000004
【図３】
2008301285.tif 000005
【図４】
2008301285.tif 000006
【図５】
2008301285.tif 000007
【図６】
2008301285.tif 000008
【図７】
2008301285.tif 000009
【図８】
2008301285.tif 000010
【図９】
2008301285.tif 000011
【図１０】
2008301285.tif 000012